Podtech/llm-jp-corpus-v4-ja_patent huggingface dataset:
【手続補正書】
【提出日】令和1年7月23日(2019.7.23)
【手続補正１】
【補正対象書類名】明細書
【補正対象項目名】００５０
【補正方法】変更
【補正の内容】
【００５０】
基板用コネクタ４６のフード部４７内には、中継コネクタ４８が嵌合されるようになっている。中継コネクタ４８の上面には、中継コネクタ４８の前端部から後方へ向かって延びるロックアーム４９が形成されている。ロックアーム４９は上下方向に弾性変形可能に形成されている。ロックアーム４９の後端部寄りの位置には、上方に突出する係止突起５０が形成されている。この係止突起５０は、基板用コネクタ４６のフード部４７に形成された被係止部５１に係止することにより、中継コネクタ４８が、基板用コネクタ４６のフード部４７から前方へ離脱することが抑制されるようになっている。
【手続補正２】
【補正対象書類名】明細書
【補正対象項目名】００５１
【補正方法】変更
【補正の内容】
【００５１】
中継コネクタ４８の前面からは、複数の中継電線５２（中継導電路の一例）と、出力電線３２（出力導電路の一例）が導出されている。
【手続補正３】
【補正対象書類名】明細書
【補正対象項目名】００７２
【補正方法】変更
【補正の内容】
【００７２】
上記の構成によれば、出力電線３２の個数を、検知電線１８の個数よりも少なくすることができる。これにより、接続モジュール１０の部品点数を削減することができる。
【手続補正４】
【補正対象書類名】明細書
【補正対象項目名】００７７
【補正方法】変更
【補正の内容】
【００７７】
上記の構成によれば、中継電線５２に接続された接続モジュール側コネクタ５３が、振動により異物と衝突することを抑制することができる。
【手続補正５】
【補正対象書類名】明細書
【補正対象項目名】００８７
【補正方法】変更
【補正の内容】
【００８７】
（５）中継導電路は省略してもよい。この場合には、検知導電路の端部にコネクタを配設し、このコネクタと基板コネクタとを嵌合させることにより、検知導電路と回路基板２２とを電気的に接続することができる。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
プロセッサを備えたコンピュータにおいて実行されるプログラムであって、
前記プログラムは、前記プロセッサに、
第１ヘッドマウントデバイスを装着する第１ユーザに対応する第１アバターを含む仮想空間を提供するステップと、
前記第１ユーザの動作に基づいて、前記仮想空間における前記第１アバターの動作を制御する第１の制御を行うステップと、
前記第１ユーザが前記第１ヘッドマウントデバイスを取り外したことを検知するステップと、
前記取り外したことを検知した場合に、前記第１アバターに対して予め定められた制御を行う第２の制御を行うステップと、を実行させ、
前記第２の制御は、前記第１の制御とは異なる制御である、プログラム。
【請求項２】
前記検知するステップは、前記第１ユーザが前記第１ヘッドマウントデバイスを取り外したことを示す非装着情報を受信することを含み、
前記第２の制御は、
前記非装着情報を受信した場合に、前記第１ユーザが前記第１ヘッドマウントデバイスを装着していないことを示す情報を前記仮想空間において提示することを含む、
請求項１に記載のプログラム。
【請求項３】
前記第１ユーザの動作に基づく情報であって、前記第１アバターの顔の表情を示す顔情報を受信した場合に、前記第１の制御は、前記顔情報に基づいて、前記仮想空間における前記第１アバターの顔の表情を更新することを含み、
前記第２の制御は、
前記取り外したことを検知した場合に、前記仮想空間における前記第１アバターの顔の表情を予め定められた第１の態様に基づいて更新することを含む、
請求項１又は２に記載のプログラム。
【請求項４】
前記第１の態様は、前記第１ユーザが前記第１ヘッドマウントデバイスを装着していないことを示す態様として予め選択された表情である、請求項３に記載のプログラム。
【請求項５】
前記コンピュータは、第２ユーザによって利用されるものであり、
前記第１ユーザによって利用され、前記第１ヘッドマウントデバイスを有する第１コンピュータは、前記第１ユーザが前記第１ヘッドマウントデバイスを装着しているかどうかを検出するように構成された装着センサをさらに備え、
前記第１ユーザが前記第１ヘッドマウントデバイスを装着していないことを前記装着センサが検出した場合に、前記第１コンピュータは、前記第１ユーザが前記第１ヘッドマウントデバイスを取り外したことを示す非装着情報を送信し、前記プロセッサは、前記検知するステップにおいて、通信を介して前記非装着情報を受信する、請求項１から４のうちいずれか一項に記載のプログラム。
【請求項６】
前記プロセッサに、さらに、
前記第１ヘッドマウントデバイスが前記第１ユーザから取り外された後に再び装着されたことを示す装着情報を受信した場合、前記第１ユーザが前記第１ヘッドマウントデバイスを装着していることを示す情報を前記仮想空間において提示するステップを実行させる、請求項１から５のうちいずれか一項に記載のプログラム。
【請求項７】
プロセッサを備えたコンピュータにおいて実行される情報処理方法であって、
前記情報処理方法は、前記プロセッサに、
第１ヘッドマウントデバイスを装着する第１ユーザに対応する第１アバターを含む仮想空間を提供するステップと、
前記第１ユーザの動作に基づいて、前記仮想空間における前記第１アバターの動作を制御する第１の制御を行うステップと、
前記第１ユーザが前記第１ヘッドマウントデバイスを取り外したことを検知するステップと、
前記取り外したことを検知した場合に、前記第１アバターに対して予め定められた制御を行う第２の制御を行うステップと、を実行させることを含み、
前記第２の制御は、前記第１の制御とは異なる制御である、情報処理方法。
【請求項８】
プロセッサを備えた情報処理装置であって、
前記プロセッサは、
第１ヘッドマウントデバイスを装着する第１ユーザに対応する第１アバターを含む仮想空間を提供し、
前記第１ユーザの動作に基づいて、前記仮想空間における前記第１アバターの動作を制御する第１の制御を行い、
前記第１ユーザが前記第１ヘッドマウントデバイスを取り外したことを検知し、
前記取り外したことを検知した場合に、前記第１アバターに対して予め定められた制御を行う第２の制御を行うものであり、
前記第２の制御は、前記第１の制御とは異なる制御である、情報処理装置。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
車両の運転モードを手動運転モードと自動運転モードとの間で切り替えるモード切替を制御するモード切替制御装置であって、
前記モード切替のために設定される切替区間における周辺状況を示すセンシングデータを、前記車両の周辺を監視する車載センサから取得する取得部と、
前記センシングデータに基づいて、前記切替区間において前記モード切替の推奨される位置であるモード切替推奨位置を計算する計算部とを具備する、モード切替制御装置。
【請求項２】
前記計算部は、前記車両の周辺におけるオブジェクトの分布状況を判定基準として前記モード切替推奨位置を計算する、請求項１に記載のモード切替制御装置。
【請求項３】
前記計算部は、前記切替区間において前記オブジェクトの分布密度が最も疎となる位置を前記モード切替推奨位置とする、請求項２に記載のモード切替制御装置。
【請求項４】
さらに、前記モード切替推奨位置を前記車両の運転者に通知する通知制御部を具備する、請求項１乃至３のいずれか１項に記載のモード切替制御装置。
【請求項５】
前記通知制御部は、当該車両の周辺のマップ画像に前記モード切替推奨位置を重ねて表示器に表示する、請求項４に記載のモード切替制御装置。
【請求項６】
前記計算部は、前記モード切替の推奨の度合いを数値化した指標の前記切替区間における分布を計算し、
前記通知制御部は、前記指標の値を前記マップ画像における表示色に対応付けてカラーマップ表示する、請求項５に記載のモード切替制御装置。
【請求項７】
前記通知制御部は、前記モード切替推奨位置に至るまでの時間を前記車両の運転者に音声で通知する、請求項４に記載のモード切替制御装置。
【請求項８】
前記車載センサは、前記車両の進行方向を含む探知領域に電波を放射しそのエコーに基づいて前記探知領域内に関するレーダデータを得るレーダである、請求項１に記載のモード切替制御装置。
【請求項９】
前記車載センサは、前記車両の進行方向を含む視野を撮像して当該視野内に関する映像データを得る画像センサである、請求項１に記載のモード切替制御装置。
【請求項１０】
車両の運転モードを手動運転モードと自動運転モードとの間で切り替えるモード切替を制御するモード切替制御システムであって、
前記車両の周辺を監視して当該車両の周辺状況を示すセンシングデータを出力する車載センサと、
前記モード切替のために設定される切替区間における周辺状況を示すセンシングデータを、前記車載センサから取得する取得部と、
前記センシングデータに基づいて、前記切替区間において前記モード切替の推奨される位置であるモード切替推奨位置を計算する計算部とを具備する、モード切替制御システム。
【請求項１１】
車両の運転モードを手動運転モードと自動運転モードとの間で切り替えるモード切替をコンピュータにより制御するモード切替制御方法であって、
前記コンピュータが、前記モード切替のために設定される切替区間における周辺状況を示すセンシングデータを、前記車両の周辺を監視する車載センサから取得する過程と、
前記コンピュータが、前記センシングデータに基づいて、前記切替区間において前記モード切替の推奨される位置であるモード切替推奨位置を計算する過程とを具備する、モード切替制御方法。
【請求項１２】
コンピュータを、請求項１乃至９のいずれか１項に記載のモード切替制御装置として機能させるためのプログラム。
【手続補正２】
【補正対象書類名】明細書
【補正対象項目名】００１１
【補正方法】変更
【補正の内容】
【００１１】
請求項１の発明は、車両の運転モードを手動運転モードと自動運転モードとの間で切り替えるモード切替を制御するモード切替制御装置にあって、モード切替のために設定される切替区間における周辺状況を示すセンシングデータを車両の周辺を監視する車載センサから取得する取得部と、センシングデータに基づいて切替区間において前記モード切替の推奨される位置であるモード切替推奨位置を計算する計算部とを具備するように構成したものである。
【手続補正３】
【補正対象書類名】明細書
【補正対象項目名】００１２
【補正方法】変更
【補正の内容】
【００１２】
請求項１０の発明は、車両の運転モードを手動運転モードと自動運転モードとの間で切り替えるモード切替を制御するモード切替制御システムにあって、車両の周辺を監視し車両の周辺状況を示すセンシングデータを出力する車載センサと、モード切替のために設定される切替区間におけるセンシングデータを車載センサから取得する取得部と、センシングデータに基づいて、切替区間において前記モード切替の推奨される位置であるモード切替推奨位置を計算する計算部とを具備するように構成したものである。
【手続補正４】
【補正対象書類名】明細書
【補正対象項目名】００１３
【補正方法】変更
【補正の内容】
【００１３】
請求項１１の発明は、車両の運転モードを手動運転モードと自動運転モードとの間で切り替えるモード切替をコンピュータにより制御するモード切替制御方法にあって、コンピュータが、モード切替のために設定される切替区間における周辺状況を示すセンシングデータを車両の周辺を監視する車載センサから取得する過程と、コンピュータが、センシングデータに基づいて切替区間において前記モード切替の推奨される位置であるモード切替推奨位置を計算する過程とを具備するように構成したものである。
【手続補正５】
【補正対象書類名】明細書
【補正対象項目名】００１４
【補正方法】変更
【補正の内容】
【００１４】
請求項１２の発明は、車両の運転モードを手動運転モードと自動運転モードとの間で切り替えるモード切替を制御するコンピュータに、モード切替のために設定される切替区間における周辺状況を示すセンシングデータを車両の周辺を監視する車載センサから取得させる命令と、センシングデータに基づいて切替区間においてモード切替の推奨される位置であるモード切替推奨位置を計算させる命令とを含む、プログラムである。
【手続補正６】
【補正対象書類名】明細書
【補正対象項目名】００２３
【補正方法】変更
【補正の内容】
【００２３】
請求項１、１０、１１または１２の発明によれば、車両の周辺を監視する車載センサ（例えば前方監視カメラや車載レーダ）から、モード切替のために設定される切替区間における周辺状況を示すセンシングデータ（例えば車両の前方の映像データやレーダデータ）が取得される。そして、このセンシングデータに基づいて、切替区間において前記モード切替の推奨される位置であるモード切替推奨位置が計算される。
【手続補正書】
【提出日】令和1年7月16日(2019.7.16)
【手続補正１】
【補正対象書類名】明細書
【補正対象項目名】００３２
【補正方法】変更
【補正の内容】
【００３２】
下側外導体２１は、上方から見て前後方向に細長い長方形状をなす底壁２８と、底壁２８の左右両側縁から上方に延びる側壁２９と、を備える。上述したロック受け部２３は側壁２９に設けられている。底壁２８の後方には、バレル３０が連なって形成されている。
【手続補正書】
【提出日】令和1年9月6日(2019.9.6)
【手続補正１】
【補正対象書類名】明細書
【補正対象項目名】００２１
【補正方法】変更
【補正の内容】
【００２１】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子１２−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子１２−２側の端子に接続されている。
【手続補正２】
【補正対象書類名】明細書
【補正対象項目名】００２４
【補正方法】変更
【補正の内容】
【００２４】
次に、図３、図４、図５、図６を参照して、有機電界発光素子１２−２について説明する。図３は、有機電界発光パネル１０の概略構成例を表したものである。図４は、図３の有機電界発光パネル１０のＡ−Ａ線での断面構成例を表したものである。図５は、図３の有機電界発光パネル１０のＢ−Ｂ線での断面構成例を表したものである。図６は、図４の有機電界発光素子１２−２の断面構成例を拡大して表したものである。
【手続補正３】
【補正対象書類名】明細書
【補正対象項目名】００３６
【補正方法】変更
【補正の内容】
【００３６】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、トリフェニルメタン誘導体、テトラフェニルベンジン誘導体等、または、これらの組み合わせからなる材料である。正孔輸送性材料２３Ｍは、さらに、例えば、溶解性および不溶化の機能のために、その分子構造中に、可溶性基と、熱解離可溶性基、架橋性基または脱離性保護基などの不溶化基とを有している。
【手続補正４】
【補正対象書類名】明細書
【補正対象項目名】００４４
【補正方法】変更
【補正の内容】
【００４４】
有機電界発光パネル１０は、さらに、例えば、各有機電界発光素子１２−２を封止する封止層１７を有していてもよい。封止層１７は、例えば、各有機電界発光素子１２−２の陰極２７の上面に接して設けられている。
【手続補正５】
【補正対象書類名】明細書
【補正対象項目名】００５７
【補正方法】変更
【補正の内容】
【００５７】
まず、基板１４上に、複数の副画素１２のうち所定の副画素１２に対して膜厚調整層２８を形成する（図９Ａ）。例えば、基板１４上に、副画素１２Ｇに対して膜厚調整層２８Ｇを形成するとともに、副画素１２Ｂに対して膜厚調整層２８Ｂを形成する。このとき、膜厚調整層２８Ｇの厚さＤ２と、膜厚調整層２８Ｂの厚さＤ１とを互いに異ならせる。例えば、膜厚調整層２８Ｂの厚さＤ１を膜厚調整層２８Ｇの厚さＤ２よりも厚くする。
【手続補正６】
【補正対象書類名】明細書
【補正対象項目名】００６０
【補正方法】変更
【補正の内容】
【００６０】
次に、例えば、インクジェット装置を用いて、インクの液滴を吐出したのち、吐出後のインクを乾燥させることにより、正孔注入層２２および正孔輸送層２３を形成する（図９Ｂ）。次に、例えば、インクジェット装置を用いて、インクの液滴を吐出することにより、有機材料層２４ｉを形成する（図９Ｂ）。有機材料層２４ｉは、有機発光材料２４Ｍを溶質の主成分とする液状の有機材料層である。具体的には、まず、有機材料層２４ｉを、溝部１６内に塗布する。次に、有機材料層２４ｉに対して乾燥処理を行うことにより有機材料層２４ｉに含まれる溶媒を揮発させる。その結果、有機発光層２４Ａが形成される（図９Ｃ）。
【手続補正７】
【補正対象書類名】明細書
【補正対象項目名】００７６
【補正方法】変更
【補正の内容】
【００７６】
本変形例では、段差１３ａの高さΔＨ４は、膜厚調整層２８Ｂの厚さＤ１よりも小さくなっている。なお、陽極２１において、膜厚調整層２８Ｂの端縁近傍に生じた段差の高さは膜厚調整層２８Ｂの厚さＤ１とほぼ等しくなっている。段差１３ｂの高さΔＨ５は、膜厚調整層２８Ｇの厚さＤ２よりも小さくなっている。段差１３ｃの高さΔＨ６は、膜厚調整層２８Ｇの厚さＤ２よりも小さくなっている。なお、陽極２１において、膜厚調整層２８Ｇの端縁近傍に生じた段差の高さは膜厚調整層２８Ｇの厚さＤ２とほぼ等しくなっている。本変形例では、膜厚調整層２８Ｂは、製造過程において、ラインバンク１３を形成する際に、ラインバンク１３の上部が膜厚調整層２８Ｇ，２８Ｂの厚さＤ１，Ｄ２の分だけ盛り上がってしまわない程度の厚さとなっている。さらに、同様のことが陽極２１についても言える。すなわち、陽極２１は、製造過程において、ラインバンク１３を形成する際に、ラインバンク１３の上部が陽極２１の厚さ分だけ盛り上がってしまわない程度の厚さとなっている。ラインバンク１３の上部に形成された段差１３ａ，１３ｂ，１３ｃの高さΔＨ４，ΔＨ５，ΔＨ６が上記の要件を満たしている場合には、ラインバンク１３におけるピニング位置が膜厚調整層２８Ｇ，２８Ｂの厚さＤ１，Ｄ２の分だけ上方にシフトしてしまうのが防止される。その結果、膜厚調整層２８が設けられていない場合と比べて、積層体２０Ａに形成されるメニスカスの深さを浅くすることができ、有機発光層２４のうち発光部として利用できない部分の割合が少なくなる。従って、有機発光層２４のうち発光部として利用できる部分の減少を抑えることができる。
【手続補正書】
【提出日】令和1年6月18日(2019.6.18)
【手続補正１】
【補正対象書類名】明細書
【補正対象項目名】００６５
【補正方法】変更
【補正の内容】
【００６５】
ゲートウェイ機能部３３は、フィールド機器１から送信されたジョインリクエストを用いて、デバイス認証を行う（ステップＳ３０３）。このデバイス認証とは、通信接続されているフィールド機器１が、ｍｏｄｂｕｓレジスタ３２に格納されているデバイス設定情報を書き込むフィールド機器１であることを認証することである。なお、通信接続されているフィールド機器１とは、ジョインリクエストを送信したフィールド機器１である。
【手続補正２】
【補正対象書類名】明細書
【補正対象項目名】００６６
【補正方法】変更
【補正の内容】
【００６６】
ゲートウェイ機能部３３は、フィールド機器１から送信されたジョインリクエストに基づいて、デバイス認証が成功したか否かを判定する（ステップＳ３０４）。例えば、ゲートウェイ機能部３３は、フィールド機器１から送信されたジョインリクエストと、ｍｏｄｂｕｓレジスタ３２内の参入情報とを照合する。
【手続補正３】
【補正対象書類名】明細書
【補正対象項目名】００６７
【補正方法】変更
【補正の内容】
【００６７】
そして、その照合の結果、フィールド機器１から送信されたジョインリクエストと、ｍｏｄｂｕｓレジスタ３２内の参入情報とが一致した場合には、ゲートウェイ機能部３３は、デバイス認証が成功したと判定してステップＳ３０５の処理を行う。一方、その照合の結果、フィールド機器１から送信されたジョインリクエストと、ｍｏｄｂｕｓレジスタ３２内の参入情報とが一致しない場合には、ゲートウェイ機能部３３はデバイス認証が失敗したと判定し、別のフィールド機器１からジョインリクエストが送信されるのを待つ。
【手続補正４】
【補正対象書類名】明細書
【補正対象項目名】００６８
【補正方法】変更
【補正の内容】
【００６８】
ゲートウェイ機能部３３は、デバイス認証が成功した場合には、ｍｏｄｂｕｓレジスタ３２に格納されているデバイス設定情報を、ジョインリクエスを送信したフィールド機器１に書き込む（ステップＳ３０５）。なお、ゲートウェイ機能部３３は、デバイス認証が成功した場合に、ｍｏｄｂｕｓレジスタ３２に格納されているデバイス設定情報のプロセス設定情報のみを、ジョインリクエスを送信したフィールド機器１に書き込んでもよい。これは、フィールド機器１には、既に参入情報が設定されているためである。
【手続補正５】
【補正対象書類名】図面
【補正対象項目名】図３
【補正方法】変更
【補正の内容】
【図３】
2018147267.tif 000001
【手続補正６】
【補正対象書類名】図面
【補正対象項目名】図１０
【補正方法】変更
【補正の内容】
【図１０】
2018147267.tif 000002
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
自動運転制御装置を有する車両に装着され、前記車両の自動運転モード時における運転者の低下した身体コンディションの回復を支援するための運転者身体コンディション回復支援装置であって、
前記自動運転制御装置による自動運転の安定度を判定する安定度判定部と、
前記車両の運転者の状態を検出する運転者状態検出センサのセンシング結果に基づいて、前記運転者の身体コンディションを判定する身体コンディション判定部と、
前記身体コンディション判定部により前記運転者の身体コンディションが予め設定された身体コンディション閾値よりも低下したと判定されたとき、前記安定度判定部によって判定された前記自動運転の安定度が予め設定された安定度閾値以上であれば、運転中に前記運転者にステアリングホイールから手を離させる運動を行うことを示唆する案内情報を出力する身体コンディション回復支援部と、
を具備する運転者身体コンディション回復支援装置。
【請求項２】
前記身体コンディション回復支援部は、前記安定度判定部によって判定された前記自動運転の前記安定度が前記予め設定された前記安定度閾値以上であれば、前記案内情報として、運転中に前記運転者が体の伸び運動を行うことを示唆する案内情報を出力する請求項１に記載の運転者身体コンディション回復支援装置。
【請求項３】
前記身体コンディション回復支援部は、前記安定度判定部によって判定された前記自動運転の安定度が前記予め設定された前記安定度閾値よりも低いときには、前記案内情報として、運転中に前記運転者がステアリングホイールから手を離さないで行い得る運動を行うこと示唆する案内情報を出力する、請求項１に記載の運転者身体コンディション回復支援装置。
【請求項４】
前記予め設定された前記安定度閾値は、前記自動運転制御装置における、制御性能上の限界により支援が制約される条件である制御限界、認識性能上の限界により支援が制約される条件である認識限界、及び、処理性能上の限界により支援が制約される条件である処理限界、のそれぞれに基づいて決定された、前記自動運転が安定していると判定し得る安定度に設定されている、請求項１乃至３のいずれか一つに記載の運転者身体コンディション回復支援装置。
【請求項５】
自動運転制御装置を有する車両に装着され、前記車両の自動運転モード時における運転者の低下した身体コンディションの回復支援するための装置が実行する運転者身体コンディション回復支援方法であって、
前記自動運転制御装置による自動運転の安定度を判定する安定度判定ステップと、
前記車両の運転者の状態を検出する運転者状態検出センサのセンシング結果に基づいて、前記運転者の身体コンディションを判定する身体コンディション判定ステップと、
前記身体コンディション判定ステップにおいて前記運転者の身体コンディションが予め設定された身体コンディション閾値よりも低下したと判定されたとき、前記安定度判定ステップにおいて判定された前記自動運転の安定度が予め設定された安定度閾値以上であれば、運転中に前記運転者にステアリングホイールから手を離させる運動を行うことを示唆する案内情報を出力する身体コンディション回復支援ステップと、
を備えている運転者身体コンディション回復支援方法。
【請求項６】
請求項１乃至請求項４のいずれか一つに記載の運転者身体コンディション回復支援装置が備える各部の機能をコンピュータに実行させる運転者身体コンディション回復支援プログラム。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
本体側足部の上に備わる本体側支柱によって支えられるプリンタとは別体であり、前記プリンタに対して使用位置に配置することができるシート収容装置であって、
前記プリンタの本体から排出されるシートの幅方向において、前記本体側足部よりもシートの中央の近くに位置する収容側足部と、
前記収容側足部の上に設けられて、前記幅方向において前記本体側足部よりも前記中央から離れて位置する収容側支柱と、
前記収容側支柱に支持されて、少なくとも前記本体の一部の下方位置を含む範囲にシートの収容空間を形成する収容部と、
を備えることを特徴とするシート収容装置。
【請求項２】
前記幅方向における前記収容側支柱の中心は、前記幅方向における前記収容側足部の中心よりも、前記幅方向において前記中央から離れて位置することを特徴とする請求項１に記載のシート収容装置。
【請求項３】
前記幅方向において前記中央寄りの前記収容側支柱の側面は、前記幅方向において前記中央寄りの前記収容側足部の側面よりも、前記幅方向において前記中央から離れて位置することを特徴とする請求項１に記載のシート収容装置。
【請求項４】
前記収容側支柱は、前記幅方向においてシートの端部の外側に位置し、
前記幅方向における前記収容空間の幅は、前記本体から排出されるシートの幅よりも大きいことを特徴とする請求項１から３のいずれか１項に記載のシート収容装置。
【請求項５】
前記収容側足部の位置と、前記本体から排出されるシートの前記幅方向の端部の位置と、は、前記幅方向において少なくとも一部が重なることを特徴とする請求項１から４のいずれか１項に記載のシート収容装置。
【請求項６】
前記シート収容装置は、所定方向から前記プリンタに接近して前記使用位置に移動し、
前記収容側足部は、前記本体側足部と係合することにより前記シート収容装置を前記使用位置に位置決めする位置決め部を備え、
前記位置決め部は、前記収容側支柱よりも前記所定方向の下流側に位置し、かつ前記幅方向において前記中央から離れる方向に突出するように前記収容側足部に設けられることを特徴とする請求項１から５のいずれか１項に記載のシート収容装置。
【請求項７】
前記プリンタは、前記本体側足部と前記本体側支柱とを左右に２組備え、
前記シート収容装置は、前記収容側足部と前記収容側支柱とを左右２組備え、
前記左右の収容側足部の少なくとも一方は、それに対応する前記本体側足部よりも前記幅方向において前記中央の近くに位置し、
前記左右の収容側支柱の少なくとも一方は、それに対応する前記本体側足部よりも前記幅方向において前記中央から離れて位置し、
前記収容部は、前記左右の収容側支柱に支持されることを特徴とする請求項１から６のいずれか１項に記載のシート収容装置。
【請求項８】
前記シート収容装置は、前記収容部の上部に、前記本体から排出されるシートをガイドする移動可能な可動ガイドを備え、
前記可動ガイドは、前記シート収容装置が前記使用位置に移動したときに前記本体に接することを特徴とする請求項１から７のいずれか１項に記載のシート収容装置。
【請求項９】
前記可動ガイドは、前記幅方向に複数配置されていることを特徴とする請求項８に記載のシート収容装置。
【請求項１０】
前記収容部は、収容側支柱に支持される第１ロッドと、前記本体の下方位置に位置する第２ロッドと、前記第１ロッドと前記第２ロッドにより保持されるシート状の受容体と、により前記収容空間を形成することを特徴とする請求項１から９のいずれか１項に記載のシート収容装置。
【請求項１１】
本体側足部の上に備わる本体側支柱によって支えられ、シートをプリントして排出するプリンタの本体と、
請求項１から１０のいずれか１項に記載のシート収容装置と、
を備えることを特徴とするプリント装置。
【請求項１２】
前記本体は、シートが巻回されたロールを支持するロール支持部と、前記ロールから引き出されたシートにプリントするプリント部と、前記プリント部におけるシートの幅方向の側部を支える側部支持体と、を備え、
前記本体側支柱は、前記側部支持体の直下に位置して前記側部支持体を支えることを特徴とする請求項１１に記載のプリント装置。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
第１の座標系における被検体の画像を取得する医用画像取得手段と、
前記第１の座標系とは異なる第２の座標系における注目領域を表す情報を取得する注目領域取得手段と、
前記第２の座標系における注目領域を表す情報に基づいて、前記第２の座標系における注目領域に対応する前記第１の座標系における注目領域に、前記第２の座標系から前記第１の座標系への座標変換の誤差を含めた誤差範囲を表す情報を取得する誤差範囲取得手段と、
前記誤差範囲を表す情報と前記医用画像とを表示手段に表示させる表示制御手段と、
を有することを特徴とする装置。
【請求項２】
前記医用画像は超音波画像である
ことを特徴とする請求項１に記載の装置。
【請求項３】
前記第２の座標系における前記被検体の三次元画像を取得する三次元画像取得手段を更に有し、
前記注目領域取得手段は、前記三次元画像中の注目領域を表す情報を取得する
ことを特徴とする請求項１または２に記載の装置。
【請求項４】
前記第２の座標系における前記被検体の三次元画像を取得する三次元画像取得手段を更に有し、
前記医用画像は、超音波探触子を用いて前記被検体を撮影することにより生成された超音波画像であり、
前記表示制御手段は、前記超音波探触子の位置及び姿勢に基づいて、前記医用画像に対応する前記三次元画像の断面画像を前記表示手段に表示させる
ことを特徴とする請求項１から３のいずれか１項に記載の装置。
【請求項５】
前記三次元画像はＭＲＩ画像またはＸ線ＣＴ画像である
ことを特徴とする請求項３または４に記載の装置。
【請求項６】
前記第１の座標系および前記第２の座標系は、三次元の座標系である
ことを特徴とする請求項１から５のいずれか１項に記載の装置。
【請求項７】
前記誤差範囲取得手段は、
前記第２の座標系から前記第１の座標系へと座標変換することにより、前記第２の座標系における注目領域を表す情報から前記第１の座標系における注目領域を表す情報を取得し、
前記第２の座標系から前記第１の座標系への座標変換の前記誤差を表す情報を取得し、
前記第１の座標系における注目領域を表す情報と前記誤差を表す情報とに基づいて、前記第１の座標系における注目領域に当該誤差を含めた前記誤差範囲を表す情報を取得する
ことを特徴とする請求項１から６のいずれか１項に記載の装置。
【請求項８】
前記医用画像は、超音波探触子を用いて前記被検体を撮影することにより生成された超音波画像であり、
前記誤差範囲取得手段は、前記超音波探触子の位置及び姿勢に基づいて前記誤差範囲を表す情報を取得する
ことを特徴とする請求項１から７のいずれか１項に記載の装置。
【請求項９】
前記誤差範囲取得手段は、前記注目領域の部位に基づいて前記誤差範囲を表す情報を取得する
ことを特徴とする請求項１から８のいずれか１項に記載の装置。
【請求項１０】
第１の座標系における被検体の医用画像を取得し、
前記第１の座標系とは異なる第２の座標系における注目領域を表す情報を取得し、
前記第２の座標系における注目領域を表す情報に基づいて、前記第２の座標系における注目領域に対応する前記第１の座標系における注目領域に、前記第２の座標系から前記第１の座標系への座標変換の誤差を含めた誤差範囲を表す情報を取得し、
前記誤差範囲を表す情報と前記医用画像とを表示手段に表示させる
ことを特徴とする情報処理方法。
【請求項１１】
前記医用画像は超音波画像である
ことを特徴とする請求項１０に記載の情報処理方法。
【請求項１２】
前記第２の座標系における前記被検体の三次元画像を取得し、
前記三次元画像中の前記注目領域を表す情報を取得する
ことを特徴とする請求項１０または１１に記載の情報処理方法。
【請求項１３】
前記第２の座標系における前記被検体の三次元画像を取得し、
前記医用画像は、超音波探触子を用いて前記被検体を撮影することにより生成された超音波画像であり、
前記超音波探触子の位置及び姿勢に基づいて、前記医用画像に対応する前記三次元画像の断面画像を前記表示手段に表示させる
ことを特徴とする請求項１０から１２のいずれか１項に記載の情報処理方法。
【請求項１４】
前記三次元画像はＭＲＩ画像またはＸ線ＣＴ画像である
ことを特徴とする請求項１２または１３に記載の情報処理方法。
【請求項１５】
前記第１の座標系および前記第２の座標系は、三次元の座標系である
ことを特徴とする請求項１０から１４のいずれか１項に記載の情報処理方法。
【請求項１６】
前記第２の座標系から前記第１の座標系へと座標変換することにより、前記第２の座標系における注目領域を表す情報から前記第１の座標系における注目領域を表す情報を取得し、
前記第２の座標系から前記第１の座標系への座標変換の前記誤差を表す情報を取得し、
前記第１の座標系における注目領域を表す情報と前記誤差を表す情報とに基づいて、前記第１の座標系における注目領域に当該誤差を含めた前記誤差範囲を表す情報を取得する
ことを特徴とする請求項１０から１５のいずれか１項に記載の情報処理方法。
【請求項１７】
前記医用画像は、超音波探触子を用いて前記被検体を撮影することにより生成された超音波画像であり、
前記超音波探触子の位置及び姿勢に基づいて前記誤差範囲を表す情報を取得する
ことを特徴とする請求項１０から１６のいずれか１項に記載の情報処理方法。
【請求項１８】
前記注目領域の部位に基づいて前記誤差範囲を表す情報を取得する
ことを特徴とする請求項１０から１７のいずれか１項に記載の情報処理方法。
【請求項１９】
請求項１０から１８のいずれか１項に記載の情報処理方法をコンピュータに実行させることを特徴とするプログラム。
【手続補正２】
【補正対象書類名】明細書
【補正対象項目名】発明の名称
【補正方法】変更
【補正の内容】
【発明の名称】情報処理装置、情報処理方法、プログラム
【手続補正３】
【補正対象書類名】明細書
【補正対象項目名】０００９
【補正方法】変更
【補正の内容】
【０００９】
本発明に係る情報処理装置は、第１の座標系における被検体の画像を取得する医用画像取得手段と、前記第１の座標系とは異なる第２の座標系における注目領域を表す情報を取得する注目領域取得手段と、前記第２の座標系における注目領域を表す情報に基づいて、前記第２の座標系における注目領域に対応する前記第１の座標系における注目領域に、前記第２の座標系から前記第１の座標系への座標変換の誤差を含めた誤差範囲を表す情報を取得する誤差範囲取得手段と、前記誤差範囲を表す情報と前記医用画像とを表示手段に表示させる表示制御手段と、を有する。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
移動式床清掃ロボットを作動させる方法であって、
前記ロボットを部屋の床面に沿って移動させて該ロボットに清掃パッドを該床面に沿って移動させ、
一以上のセンサによって前記部屋の少なくとも一つの特徴をとらえ、
前記部屋の前記少なくとも一つの特徴を、前記ロボットのコントローラがアクセス可能なマップ上に表し、
前記マップ上に表した前記部屋の前記少なくとも一つの特徴の該マップ上の位置に基づいて、液体塗布距離より長い一定距離だけ該部屋の該少なくとも一つの特徴から離れた前記床面上に前記ロボットを位置決めし、
塗布される液体が前記部屋の前記少なくとも一つの特徴に接触しないように、前記コントローラが実行する操作によって、前記清掃パッドの前方であり前記ロボットの前面の前方である、水平成分を有する方向に向けて、該部屋の該少なくとも一つの特徴の前記マップ上の位置の近傍の前記床面上の区域に液体を塗布する、
方法。
【請求項２】
前記部屋の前記少なくとも一つの特徴は床張りの変化を含む、
請求項１に記載の方法。
【請求項３】
前記一定距離は前記ロボットの噴霧器の噴霧領域に基づいている、
請求項１に記載の方法。
【請求項４】
前記ロボットを位置決めすることは、該ロボットの噴霧器の噴霧領域に基づいて前記部屋の前記少なくとも一つの特徴に対して該ロボットの向きを合わせることを含む、
請求項１に記載の方法。
【請求項５】
液体が塗布された区域を前記マップ上に表すことを更に含む、
請求項１に記載の方法。
【請求項６】
前記床面に塗布される液体の体積流量は前記清掃パッドの湿り度合いに基づいている、
請求項１に記載の方法。
【請求項７】
前記ロボットの前記清掃パッドを塗布された液体上を通過するように動かし、該清掃パッドが通過した床面の区域を前記マップ上に表すことを更に含む、
請求項１に記載の方法。
【請求項８】
前記一以上のセンサは一以上の測距レーザを含む、
請求項１に記載の方法。
【請求項９】
前記マップは前記ロボットの外部のストレージ媒体に記憶され、該ロボットは該ストレージ媒体と無線通信するよう構成されている、
請求項１に記載の方法。
【請求項１０】
前記ロボットは、前記マップを構築するために、前記一以上のセンサによりとらえられた前記部屋の前記特徴に関する情報を前記ストレージ媒体に送信するよう構成されている、
請求項９に記載の方法。
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
演出を実行する演出実行手段と、
取得条件の成立に基づいて、所定の判別情報を取得する取得手段と、
その取得手段により取得された前記判別情報を用いて判別を行う判別手段と、
遊技球が入球可能な第１状態と、その第１状態よりも遊技球が入球困難となる第２状態と、に可変可能な可変入球手段と、
その可変入球手段へと遊技球が入球したことに基づいて所定の特典を付与する特典付与手段と、
前記判別手段の判別結果が予め定められた特定の判別結果になったことに基づいて、前記可変入球手段が前記第１状態に設定される第１状態期間と、前記第２状態に設定される第２状態期間と、が特定の切替パターンに応じて切り替えられる切替遊技を実行する切替遊技実行手段と、
前記切替遊技において最後に設定される前記第１状態期間が終了したことに基づいて、前記第２状態期間の間に前記演出実行手段によって実行される第２状態演出態様によって示唆される遊技と同一の遊技を示唆することが可能な第１演出を、予め定められた特定の演出期間で実行する第１演出実行手段と、
前記判別手段の判別結果を示すための識別情報を動的表示させる動的表示手段と、
前記取得手段により取得された前記判別情報を、当該判別情報を用いた判別が行われるまで記憶可能な記憶手段と、
その記憶手段に記憶された前記判別情報を用いた判別が行われるよりも前に、当該判別情報を用いて判別を行った場合の判別結果を特定可能な特定手段と、
その特定手段により、前記第１演出が終了した後で判別に用いられる前記判別情報の中に前記特定の判別結果が特定されたことに基づいて、当該特定の判別結果を示すための前記識別情報の動的表示を少なくとも含む１又は複数の前記識別情報の動的表示における動的表示期間の間に、前記第２状態演出態様によって示唆される遊技と同一の遊技を示唆することが可能な第１演出態様と、前記第１演出において実行される演出態様とは異なる第２演出態様と、で少なくとも構成される第２演出を実行可能な第２演出実行手段と、を備えるものであることを特徴とする遊技機。
【請求項２】
前記識別情報を表示可能な表示手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、演出を実行する演出実行手段と、取得条件の成立に基づいて、所定の判別情報を取得する取得手段と、その取得手段により取得された前記判別情報を用いて判別を行う判別手段と、遊技球が入球可能な第１状態と、その第１状態よりも遊技球が入球困難となる第２状態と、に可変可能な可変入球手段と、その可変入球手段へと遊技球が入球したことに基づいて所定の特典を付与する特典付与手段と、前記判別手段の判別結果が予め定められた特定の判別結果になったことに基づいて、前記可変入球手段が前記第１状態に設定される第１状態期間と、前記第２状態に設定される第２状態期間と、が特定の切替パターンに応じて切り替えられる切替遊技を実行する切替遊技実行手段と、前記切替遊技において最後に設定される前記第１状態期間が終了したことに基づいて、前記第２状態期間の間に前記演出実行手段によって実行される第２状態演出態様によって示唆される遊技と同一の遊技を示唆することが可能な第１演出を、予め定められた特定の演出期間で実行する第１演出実行手段と、前記判別手段の判別結果を示すための識別情報を動的表示させる動的表示手段と、前記取得手段により取得された前記判別情報を、当該判別情報を用いた判別が行われるまで記憶可能な記憶手段と、その記憶手段に記憶された前記判別情報を用いた判別が行われるよりも前に、当該判別情報を用いて判別を行った場合の判別結果を特定可能な特定手段と、その特定手段により、前記第１演出が終了した後で判別に用いられる前記判別情報の中に前記特定の判別結果が特定されたことに基づいて、当該特定の判別結果を示すための前記識別情報の動的表示を少なくとも含む１又は複数の前記識別情報の動的表示における動的表示期間の間に、前記第２状態演出態様によって示唆される遊技と同一の遊技を示唆することが可能な第１演出態様と、前記第１演出において実行される演出態様とは異なる第２演出態様と、で少なくとも構成される第２演出を実行可能な第２演出実行手段と、を備えるものである。
【手続補正３】
【補正対象書類名】明細書
【補正対象項目名】０００７
【補正方法】変更
【補正の内容】
【０００７】
請求項２記載の遊技機は、請求項１記載の遊技機において、前記識別情報を表示可能な表示手段を備える。
【手続補正４】
【補正対象書類名】明細書
【補正対象項目名】０００９
【補正方法】変更
【補正の内容】
【０００９】
本発明の遊技機によれば、演出を実行する演出実行手段と、取得条件の成立に基づいて、所定の判別情報を取得する取得手段と、その取得手段により取得された前記判別情報を用いて判別を行う判別手段と、遊技球が入球可能な第１状態と、その第１状態よりも遊技球が入球困難となる第２状態と、に可変可能な可変入球手段と、その可変入球手段へと遊技球が入球したことに基づいて所定の特典を付与する特典付与手段と、前記判別手段の判別結果が予め定められた特定の判別結果になったことに基づいて、前記可変入球手段が前記第１状態に設定される第１状態期間と、前記第２状態に設定される第２状態期間と、が特定の切替パターンに応じて切り替えられる切替遊技を実行する切替遊技実行手段と、前記切替遊技において最後に設定される前記第１状態期間が終了したことに基づいて、前記第２状態期間の間に前記演出実行手段によって実行される第２状態演出態様によって示唆される遊技と同一の遊技を示唆することが可能な第１演出を、予め定められた特定の演出期間で実行する第１演出実行手段と、前記判別手段の判別結果を示すための識別情報を動的表示させる動的表示手段と、前記取得手段により取得された前記判別情報を、当該判別情報を用いた判別が行われるまで記憶可能な記憶手段と、その記憶手段に記憶された前記判別情報を用いた判別が行われるよりも前に、当該判別情報を用いて判別を行った場合の判別結果を特定可能な特定手段と、その特定手段により、前記第１演出が終了した後で判別に用いられる前記判別情報の中に前記特定の判別結果が特定されたことに基づいて、当該特定の判別結果を示すための前記識別情報の動的表示を少なくとも含む１又は複数の前記識別情報の動的表示における動的表示期間の間に、前記第２状態演出態様によって示唆される遊技と同一の遊技を示唆することが可能な第１演出態様と、前記第１演出において実行される演出態様とは異なる第２演出態様と、で少なくとも構成される第２演出を実行可能な第２演出実行手段と、を備えるものである。
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
所定の判別を行う判別手段と、
その判別手段の判別結果が特定の判別結果となったことに基づいて遊技者に有利な特典遊技を実行する特典遊技実行手段と、
遊技球が入球したことに基づいて所定の特典が付与される入球手段と、
その入球手段の状態として、遊技球が入球可能な第１状態と、その第１状態よりも遊技球が入球し難くなる第２状態と、を１の前記特典遊技において設定する入球状態設定手段と、
前記判別手段の判別結果を示すための識別情報を動的表示させる動的表示手段と、
その動的表示手段による前記識別情報の動的表示における動的表示期間を、前記判別手段による判別が実行される毎に、当該判別の判別結果に応じて設定する動的表示期間設定手段と、
１の前記特典遊技において最後に設定される前記第１状態が終了したことに基づいて、少なくとも前記第２状態が設定されている間に実行される演出態様である第２状態演出態様によって示唆される遊技と同一の遊技を示唆することが可能な第１演出を、予め定められた第１期間で実行する第１演出実行手段と、を備え、
前記動的表示期間設定手段は、少なくとも前記特典遊技が終了した後における前記判別手段による判別の実行回数が特定回数以下の範囲において前記特定の判別結果となる場合に、前記第１演出が開始されてからの経過期間が前記第１期間以下の長さの予め定められた第２期間となった時点で前記特定の判別結果を示すための前記識別情報の動的表示が終了するように前記動的表示期間を設定可能なものであり、
前記第１演出の実行中に予め定められた特定条件が成立した場合に、前記第１演出の開始から前記第１期間を超えた後の演出態様として、前記第１演出の実行中に設定される演出態様のうち少なくとも一部が実行される第２演出を設定することが可能に構成されているものであることを特徴とする遊技機。
【請求項２】
前記識別情報を表示可能な表示手段を備えることを特徴とする請求項１記載の遊技機。
【手続補正２】
【補正対象書類名】明細書
【補正対象項目名】０００４
【補正方法】変更
【補正の内容】
【０００４】
しかしながら、更なる興趣の向上が求められている。
【手続補正３】
【補正対象書類名】明細書
【補正対象項目名】０００６
【補正方法】変更
【補正の内容】
【０００６】
この目的を達成するために請求項１記載の遊技機は、所定の判別を行う判別手段と、その判別手段の判別結果が特定の判別結果となったことに基づいて遊技者に有利な特典遊技を実行する特典遊技実行手段と、遊技球が入球したことに基づいて所定の特典が付与される入球手段と、その入球手段の状態として、遊技球が入球可能な第１状態と、その第１状態よりも遊技球が入球し難くなる第２状態と、を１の前記特典遊技において設定する入球状態設定手段と、前記判別手段の判別結果を示すための識別情報を動的表示させる動的表示手段と、その動的表示手段による前記識別情報の動的表示における動的表示期間を、前記判別手段による判別が実行される毎に、当該判別の判別結果に応じて設定する動的表示期間設定手段と、１の前記特典遊技において最後に設定される前記第１状態が終了したことに基づいて、少なくとも前記第２状態が設定されている間に実行される演出態様である第２状態演出態様によって示唆される遊技と同一の遊技を示唆することが可能な第１演出を、予め定められた第１期間で実行する第１演出実行手段と、を備え、前記動的表示期間設定手段は、少なくとも前記特典遊技が終了した後における前記判別手段による判別の実行回数が特定回数以下の範囲において前記特定の判別結果となる場合に、前記第１演出が開始されてからの経過期間が前記第１期間以下の長さの予め定められた第２期間となった時点で前記特定の判別結果を示すための前記識別情報の動的表示が終了するように前記動的表示期間を設定可能なものであり、前記第１演出の実行中に予め定められた特定条件が成立した場合に、前記第１演出の開始から前記第１期間を超えた後の演出態様として、前記第１演出の実行中に設定される演出態様のうち少なくとも一部が実行される第２演出を設定することが可能に構成されているものである。
【手続補正４】
【補正対象書類名】明細書
【補正対象項目名】０００７
【補正方法】変更
【補正の内容】
【０００７】
請求項２記載の遊技機は、請求項１記載の遊技機において、前記識別情報を表示可能な表示手段を備える。
【手続補正５】
【補正対象書類名】明細書
【補正対象項目名】０００９
【補正方法】変更
【補正の内容】
【０００９】
本発明の遊技機によれば、所定の判別を行う判別手段と、その判別手段の判別結果が特定の判別結果となったことに基づいて遊技者に有利な特典遊技を実行する特典遊技実行手段と、遊技球が入球したことに基づいて所定の特典が付与される入球手段と、その入球手段の状態として、遊技球が入球可能な第１状態と、その第１状態よりも遊技球が入球し難くなる第２状態と、を１の前記特典遊技において設定する入球状態設定手段と、前記判別手段の判別結果を示すための識別情報を動的表示させる動的表示手段と、その動的表示手段による前記識別情報の動的表示における動的表示期間を、前記判別手段による判別が実行される毎に、当該判別の判別結果に応じて設定する動的表示期間設定手段と、１の前記特典遊技において最後に設定される前記第１状態が終了したことに基づいて、少なくとも前記第２状態が設定されている間に実行される演出態様である第２状態演出態様によって示唆される遊技と同一の遊技を示唆することが可能な第１演出を、予め定められた第１期間で実行する第１演出実行手段と、を備え、前記動的表示期間設定手段は、少なくとも前記特典遊技が終了した後における前記判別手段による判別の実行回数が特定回数以下の範囲において前記特定の判別結果となる場合に、前記第１演出が開始されてからの経過期間が前記第１期間以下の長さの予め定められた第２期間となった時点で前記特定の判別結果を示すための前記識別情報の動的表示が終了するように前記動的表示期間を設定可能なものであり、前記第１演出の実行中に予め定められた特定条件が成立した場合に、前記第１演出の開始から前記第１期間を超えた後の演出態様として、前記第１演出の実行中に設定される演出態様のうち少なくとも一部が実行される第２演出を設定することが可能に構成されているものである。